(57)【要約】【課題】  従来のランプソケットは、照明器具のソケット取付具に嵌合するスリット溝をソケット本体とカバーのそれぞれに形成したスリット溝を合せて連続したスリット溝としていたので、照明器具を使用時に、それぞれのスリット溝にストレスが加わり、ソケット本体とカバーとが分離しランプソケットが外れ易いという課題があった。【解決手段】  本発明に係るランプソケットは、けい光ランプを装着する受け体と、受け体を収容する受け体収容部及び電線挿入穴から挿入した電線を鎖錠する電線接続端子を内部に収容する基盤部を有するソケット本体と、受け体カバー部及び器具取付部を有し、ソケット本体を覆うカバーとを具備し、器具取付部には、両側部に一対のスリット溝が形成され、ソケット本体をカバーで覆ったとき、器具取付部が受け体カバー部の底面側で、外部に突出する。【選択図】        図１
2005197172.tif 000002
【特許請求の範囲】
【請求項１】
それぞれけい光ランプを装着し、該けい光ランプの口金を接続する口金接続端子を有する２個以上の受け体と、
前記受け体を収容する受け体収容部及び電線挿入穴から挿入した電線を接続する電線接続端子を内部に収容する基盤部を有するソケット本体と、
受け体カバー部及び器具取付部を有し、ソケット本体を覆うカバーとを具備し、
前記カバーの前記器具取付部には、両側部に一対のスリット溝が形成され、前記ソケット本体を前記カバーで覆ったとき、前記器具取付部が前記カバーの底面側で、外部に突出し、照明器具本体のソケット取付部が前記一対のスリット溝にスライド挿入可能となることを特徴とするランプソケット。
【請求項２】
前記カバーの受け体カバー部の底面は、両外側の受け体カバー部の内側において、前面側が開いたコの字状の開口を有し、前記器具取付部は、前記開口の縁部から突出するコの字体で形成され、該コの字体は、背面側の中辺部と該中辺部の両端から前面側に延設する側辺部とからなり、前記側辺部に前記スリット溝を形成したことを特徴とする請求項１に記載のランプソケット。
【請求項３】
前記ソケット本体の前記電線挿入穴は、前記ソケット本体の底面側に形成され、前記ソケット本体を前記カバーで覆ったとき、前記カバーの器具取付部である前記コの字体の前記中辺部及び前記両側辺部で囲まれ形成される開口から外部に露出することを特徴とする請求項２に記載のランプソケット。
【請求項４】
前記カバーは、少なくとも前記ソケット本体の背面側から前記受け体収容部の外側を一様に覆うことを特徴とする請求項１〜請求項３のいずれかの請求項に記載のランプソケット。
【請求項５】
安定器等を有する照明器具本体のソケット取付部に、請求項１〜請求項４のいずれかの請求項に記載のランプソケットを装着したことを特徴とする照明器具。
【発明の詳細な説明】
【技術分野】
【０００１】
本発明は、けい光ランプを支持する２灯以上用のランプソケット及び該ランプソケットを装着した照明器具に係り、特にランプソケットを照明器具のソケット取付具へ取付けることに関するものである。
【背景技術】
【０００２】
従来のランプソケットは、ランプソケット下部に形成した一対のスリット溝（係合溝２４）を照明器具のソケット取付具（ソケット取付金具２）に嵌合させ、取付けられていたが、このスリット溝（係合溝２４）は、ソケット本体（ボデイ２１）にカバー（カバー２２）を取付けることによりソケット本体（ボデイ２１）に形成したスリット溝（係合溝２４）とカバー（カバー２２）に形成したスリット溝（係合溝２４）とを合せて連続したスリット溝（係合溝２４）としたものであった（例えば、特許文献１参照、但し、カッコ内の記載は、特許文献１に記載の名称。）。
【特許文献１】特開２００２−３３１７２号公報（第５頁、図３）
【発明の開示】
【発明が解決しようとする課題】
【０００３】
従来のランプソケットは、照明器具のソケット取付具に嵌合するスリット溝をソケット本体とカバーのそれぞれに形成したスリット溝を合せて連続したスリット溝としていたので、ランプソケットを照明器具に取付け後、ランプ装着して照明器具を使用時に、それぞれのスリット溝にストレスが加わり、ソケット本体とカバーとが分離しランプソケットが外れ易いという課題があった。また、ランプソケットを照明器具に取付けるために両スリット溝を合せる際、寸法ばらつき等により、両スリット溝間に段差が生じ、照明器具のソケット取付具に嵌合させる際、スムーズなスライドができず、取付けが難しいという課題があった。
【０００４】
本発明のランプソケットは、上記のよう課題を解決するためになされたものであり、ランプソケットの改良を目的とするものである。
即ち、ランプソケットを取付け照明器具を使用中に、取付け部であるスリット溝にストレスが加わってもランプソケットが照明器具から外れることがないランプソケットを得ることを目的とする。
また、照明器具への装着が容易で、装着後は外れ難いランプソケットを得ることを目的とする。
また、成形用金型の費用が節減でき、さらに確実に電線を挿入できるランプソケットを得ることを目的とする。
また、意匠上見栄えの良いランプソケットを得ることを目的とする。
また、これらのランプ用ソケットを装着して信頼性の高い照明器具を得ることを目的とする。
【課題を解決するための手段】
【０００５】
本発明に係るランプソケットは、それぞれけい光ランプを装着し、該けい光ランプの口金を接続する口金接続端子を有する２個以上の受け体と、受け体を収容する受け体収容部及び電線挿入穴から挿入した電線を接続する電線接続端子を内部に収容する基盤部を有するソケット本体と、受け体カバー部及び器具取付部を有し、ソケット本体を覆うカバーとを具備し、
カバーの器具取付部には、両側部に一対のスリット溝が形成され、ソケット本体をカバーで覆ったとき、器具取付部がカバーの底面側で、外部に突出し、照明器具本体のソケット取付部が前記一対のスリット溝にスライド挿入可能となるものである。
【発明の効果】
【０００６】
本発明のランプソケットは、照明器具本体のソケット取付部が挿入されるスリット溝を、カバーの器具取付部にのみ設けたので、ストレスがスリット溝に加わっても、ソケット本体とカバーの両者にスリット溝を設けた場合のように両者を分離させ、ランプソケットが外れることがない。また、ソケット取付部をスライド挿入時に、両者にスリット溝を設けた場合のように段差により装着が困難となることもなく、容易に装着できる。
【発明を実施するための最良の形態】
【０００７】
実施の形態１．
図１は、実施の形態１における２灯用のランプソケットのソケット本体を示す斜視図であり、図２は、同じく図１のソケット本体に組合せるカバーを示す斜視図であり、図３は、同じくソケット本体にカバーを組合せた２灯用のランプソケットを示す正面図である。
これらの図において、ランプソケットは、ソケット本体１、ソケット本体１を覆うカバー２及びソケット本体１に収容され、けい光ランプを装着する受け体３等を具備する。
図１に示すソケット本体１は、背面側のやや下側から見た図であり、上部の両側に受け体収容部１ａ、１ａ´があり、この開口部１ｆに外形がほぼ円柱状の受け体３、３´（正面図を図３に示す）がそれぞれ挿入収容される。この際、受け体３、３´は、後述のカバー２の受け体カバー部２ａ、２ａ´の背面側の内面と受け体３、３´間に設置したコイルバネにより、ソケット本体１の受け体収容部１ａ、１ａ´の前面側に付勢されるが、受け体３、３´の後部の外周部には受け体収容部１ａ、１ａ´の内面とで形成されるストッパーがあり、受け体収容部１ａ、１ａ´から外れることはない。けい光ランプは、ソケット本体１の前面側から（図１の紙面裏側から又は図３の前面側から）受け体３、３´に装着される。
【０００８】
また、両受け体収容部１ａ、１ａ´の間の下部に複数の電線挿入穴１ｇ及びこの電線挿入穴１ｇから挿入した電線を内部で鎖錠する端子金具４の電線接続端子（図示せず）を収容する電線接続端子収容部１ｂがある。さらに、両受け体収容部１ａ、１ａ´の下部には、横方向全体に亘って（両受け体収容部１ａ、１ａ´の端部間に亘って）前面側に突出する平面前面部１ｃが形成されている。これら接続端子収容部１ｂ及び平面前面部１ｃ等でソケット本体１の基盤部を形成する。
受け体収容部１ａ、１ａ´は、全体的には外形が円柱体を収容するような内面形状をとるが、後述のカバー２との嵌合を容易とする、また外れないように係止する等のために、一様な円筒体ではなく、図１に示すように、背面側への突起体を有して形成される。
受け体３には、けい光ランプが挿入される前面側の中央部に、けい光ランプの口金と接触する端子金具４の口金接続端子４ａが配置された開口部が形成され、この口金接続端子４ａは前記の接続端子収容部１ｂの電線接続端子から内部電線で接続され、受け体３の背面側から開口部に挿入される。
【０００９】
カバー２は、図２に示すように、受け体収容部１ａ、１ａ´を覆う受け体カバー部２ａ、２ａ´及び両受け体カバー部２ａ、２ａ´間で、下部に配置される器具取付部２ｃ等を具備する。また、受け体カバー部２ａ、２ａ´の下部には、受け体カバー部２ａ、２ａ´に連続して形成され、ソケット本体１の平面前面部１ｃの下部の左右側と側部を覆う平面カバー部２ｂ、２ｂ´が形成される。受け体カバー部２ａ、２ａ´の底面（平面カバー部２ｂの底面でもある）は、中央部に、即ち、両受け体カバー部２ａ、２ａ´の間の下部で、両者の内側において、前面側が開いたコの字状の開口を有している。
器具取付部２ｃは、下方から見て前面側が開いたコの字状をなし、受け体カバー部２ａ、２ａ´の底面の開口の縁部からコの字体が下方に突出して形成される。このコの字体の背面側が真中の辺部である中辺部２ｍであり、この中辺部２ｍはカバー２の背面に連続して形成され、この中辺部２ｍの両端から前面側に延びる側辺部２ｎ、２ｎ´は、それぞれ左右の受け体カバー部２ａ、２ａ´の底面に接続される。両側辺部２ｎ、２ｎ´には、背面側から前面側に、背面側は開口し、前面側は一部を残して、外側に開口するスリット溝２ｄ、２ｄ´が形成されている。スリット溝２ｄ、２ｄ´は、照明器具本体のソケット取付具がスライド挿入され、ランプソケットが照明器具本体に取り付けられる。
ソケット本体１、カバー２及び受け体３は、材質は合成樹脂であり、それぞれ射出成形により一体に形成される。
【００１０】
カバー２は、ソケット本体１の背面側からカバー２が外側となるようにソケット本体１に組み合わされ、ソケット本体１を覆う。カバー２は、ソケット本体１の背面側から受け体収容部１ａ、１ａ´の外側を一様に覆う。即ち、受け体収容部１ａ、１ａ´の背面、頭部、両受け体収容部１ａ、１ａ´間の接続部及び平面前面部１ｃの側部と底面を覆う。そこで、両受け体収容部１ａ、１ａ´の前面部、両者間の接続部の前面部、平面前面部１ｃの上面部と前面部及び電線鎖錠部１ｂの下面部を除いて覆うことになる。但し、ソケット本体１の電線接続端子収容部１ｂの電線挿入穴１ｇが開口する底面はカバー２に覆われず露出される。即ち、カバー２の器具取付部２ｃのコの字体の中辺部２ｍ及び両側辺部２ｎで囲まれ形成された開口から外部に露出する。
このように外観的に見て、ソケット本体１は、背面から両受け体収容部１ａ、１ａ´の外側を一様に覆われるので、意匠的にみて優れたものとなる。
【００１１】
ソケット本体１とカバー２とは、嵌め合せにより組み合わされる。
電線挿入穴１ｇが開口する底面部のカバー２との嵌め合わせは、この底面部の左右の両端の直角の下端部１ｐ、１ｐ´をカバー２の器具取付部２ｃのコの字体の側辺部２ｎ、２ｎ´の上端切欠き部２ｐ、２ｐ´に嵌め合せることにより行われる。この際、器具取付部２ｃのコの字体は、カバー２の下部に前面側が開口したコの字体が突出形成され、背面側の中辺部２ｍはカバー２の背面に連続して形成され、この中辺部２ｍの両端から前面側に延びる側辺部２ｎ、２ｎ´は、それぞれ左右のカバー２の底面に接続し、コの字体の両側辺部２ｎ、２ｎ´間が開いているので、嵌め合せ時には器具取付部２ｃの上端切欠き部２ｐ、２ｐ´が開き気味となり、嵌め合せが容易となる、即ち、ランプソケットの組立てが容易となる。また、嵌め合せ後は、元に戻り（締まり気味となり）外れにくくなる。
また、ソケット本体１とカバー２は図３に示すように、カバー２の内面に突出させ形成した爪部２ｆを、これに対応してソケット本体１の外面に形成した爪受け部１ｈである穴部又は凹部に挿入することにより外れないように係止される。カバー２とソケット本体１に対する爪部２ｆと爪受け部との関係は、反対にしてもよい。このような係止手段を受け体３の周りの受け体収容部１ａと受け体カバー部２ａ間に複数設ける（図３では、４組）。
【００１２】
本実施の形態のランプソケットは、安定器等を備えた照明器具本体のソケット取付部がカバー２の器具取付部２ｃに形成したスリット溝２ｄ、２ｄ´にスライド挿入され、装着される。この際、ソケット取付部に挿入されるスリット溝２ｄ、２ｄ´は、カバー２の器具取付部２ｃにのみ設けたので、ストレスがスリット溝２ｄ、２ｄ´に加わっても、ソケット本体１とカバー２の両者にスリット溝を設けた場合のように両者を分離させ、ランプソケットが外れることがない。また、両スリット溝に段差が生じることにより装着が困難となることもなく、容易に装着できる。
また、けい光ランプの装着、取り外し時等けい光ランプに押されてストレスがスリット溝２ｄ、２ｄ´に加わった場合、スリット溝２ｄ、２ｄ´が形成された器具取付部２ｃの側辺部２ｎ、２ｎ´が両けい光ランプの受け体３、３´の内側に配置するので、前面側の側辺部２ｎ、２ｎ´ほど左右に逃げ、即ち、照明器具本体のソケット取付部がくい込むようになるので、ランプソケットが照明器具から外れることがない。さらに、前記のランプソケットの組立てと同様にスリット溝２ｄ、２ｄ´が開き気味となり、また締まり気味となるので、装着は容易で、装着後は外れにくくなる。
【００１３】
また、本実施の形態のランプソケットにおいては、電線挿入穴１ｇは、ソケット本体１の電源接続端子収容部１ｂの底面に設け、カバー２と組み合わせランプソケットを形成時には外部に露出させたので、カバー２には、電線挿入穴を開ける必要がないため、カバー２の金型構造はスライドコアなしとすることができ金型コストの低減となる。また、ソケット本体１と、カバー２の組合せによって電線挿入穴１ｇが形成される場合、電線の挿入時などにソケット本体１とカバー２にストレスがかかり、電線挿入穴１ｇが分断され、電線の固定力が弱まり、場合によっては電線が外れてしまう恐れがあったが、ソケット本体１のみに電線挿入穴１ｇを形成したので、電線の挿入などによるストレスで電線挿入穴１ｇが分断されることなく、確実に電線を固定（鎖錠）することができる。
【００１４】
これまで、ランプソケットとして、２灯用のランプソケットを説明してきたが、本発明の前記の器具取付部２ｃ、スリット溝２ｄ及びカバー２等の特徴ある構造は、３灯以上用のランプソケットにも同様に適用でき、同様な効果を奏する。
３灯以上用のランプソケットは、図３に示すランプソケットの正面図において、上下の中心線に対して左右対称にソケット本体１、カバー２、受け体３および基盤部等を形成する。また、器具取付部２ｃは、受け体カバー部２ａの底面で、両外側の受け体カバー部２ａ、２ａ´の内側に設ける。
【００１５】
本実施の形態のランプソケットにおいては、カバー２の受け体カバー部２ａの底面は、両外側の受け体カバー部２ａ、２ａ´の内側において、前面側が開いたコの字状の開口を有し器具取付部２ｃは、この開口の縁部から突出するコの字体で形成され、該コの字体は、背面側の中辺部２ｍと該中辺部２ｍの両端から前面側に延設する側辺部２ｎ、２ｎ´とからなり、この側辺部２ｎ、２ｎ´にスリット溝２ｄ、２ｄ´を形成したので、ソケット本体と組合せたランプソケットを照明器具本体に取り付けるとき、照明器具本体のソケット取付具がスリット溝２ｄ、２ｄ´にスライド挿入し易く、また、装着後は外れ難い。
【００１６】
また、本実施の形態のランプソケットにおいては、電線挿入穴１ｇは、ソケット本体の受け体収容部１ａの底面側に形成され、ソケット本体をカバー２で覆ったとき、カバー２の器具取付部２ｃであるコの字体の中辺部２ｍ及び両側辺部２ｎ、２ｎ´で囲まれ形成される開口から外部に露出するので、カバー２には、電線挿入穴を開ける必要がないため、カバー２の金型構造はスライドコアなしとすることができ金型コストの低減となる。また、ソケット本体１と、カバー２の組合せによって電線挿入穴１ｇが形成される場合、電線の挿入時などにソケット本体１とカバー２にストレスがかかり、電線挿入穴１ｇが分断され、電線の固定力が弱まり、場合によっては電線が外れてしまう恐れがあったが、ソケット本体１のみに電線挿入穴１ｇを形成したので、電線の挿入などによるストレスで電線挿入穴１ｇが分断されることなく、確実に電線を固定（鎖錠）することができる。
【００１７】
また、本実施の形態のランプソケットにおいては、カバー２は、少なくともソケット本体の背面側から受け体収容部１ａの外側を一様に覆うようにしたので、ランプソケットは意匠的に優れたものとなる。
【００１８】
また、本実施の形態のランプソケットを、安定器等を有する照明器具本体のソケット取付部に装着した照明器具は、信頼性の高い照明器具となる。
【産業上の利用可能性】
【００１９】
本発明のランプソケットは、照明器具に装着して、信頼性の高い照明器具となる。
【図面の簡単な説明】
【００２０】
【図１】本発明の実施の形態１における２灯用ランプソケットのソケット本体を示す斜視図である。
【図２】本発明の実施の形態１における２灯用ランプソケットのカバーを示す斜視図である。
【図３】本発明の実施の形態１における２灯用ランプソケットを示す正面図である。
【符号の説明】
【００２１】
１ａ（１ａ´）  受け体収容部、１ｇ  電線挿入穴、２  カバー、２ａ（２ａ´）  受け体カバー部、２ｃ  器具取付部、２ｄ（２ｄ´）  スリット溝、２ｍ  中辺部、２ｎ（２ｎ´）  側辺部、３（３´）  受け体、４ａ（４ａ´）  口金接続端子。
【図１】
2005197172.tif 000003
【図２】
2005197172.tif 000004
【図３】
2005197172.tif 000005